【事件の表示】
　特願２０１３−　１４８４２「改良形チャック付き容器」拒絶査定不服審判事件〔平成２５年　７月１１日出願公開、特開２０１３−１３６４１５〕について、次のとおり審決する。
【結　論】
　本件審判の請求は、成り立たない。
【理　由】
第１　手続の経緯
　本願は、２００８年１月２５日（パリ条約による優先権主張　２００７年１月２５日、アメリカ合衆国）を国際出願日とする国際出願である特願２００９−５４７４４５号の一部を平成２５年１月２９日に新たな特許出願としたものである。
　本願の手続の経緯は、以下のとおりである。
　平成２５年１１月２７日付け　　　拒絶理由通知
　平成２６年　３月　３日　　　　　意見書及び手続補正書の提出
　平成２６年　９月３０日付け　　　拒絶査定
　平成２７年　２月　６日　　　　　本件審判請求、同時に手続補正書提出
　平成２７年１０月１３日　　　　　上申書提出
　平成２７年１０月２８日付け　　　拒絶理由通知
　平成２８年　２月　２日　　　　　意見書及び手続補正書の提出
　平成２８年　５月２０日付け　　　拒絶理由通知
　平成２８年　８月２３日　　　　　意見書及び手続補正書の提出
第２　本願発明
　本願特許請求の範囲の請求項１ないし５に係る発明は、上記平成２８年８月２３日付け手続補正書により補正された特許請求の範囲の請求項１ないし５にそれぞれ記載された事項により特定されたとおりのものであると認められるところ、そのうち、請求項１に記載された事項は以下のとおりである（以下、本願特許請求の範囲の請求項１に係る発明を「本願発明」という。）。
「【請求項１】
　第１及び第２の壁、及び開口部を有するチャック付き袋であって、前記開口部が細長いフレキシブルな第１及び第２のファスナーストリップによって規定され、前記第１及び第２のファスナーストリップが、それぞれ、前記第１及び第２の壁とは別個に形成されて、前記第１及び第２の壁の上部に取り付けられ、前記ファスナーストリップの一方は、溝を形成する形状部分を有し、前記ファスナーストリップの他方は、リブを形成する形状部分を有し、前記リブの一部分は、前記チャック付き袋の上部を閉じた際に前記溝内に受け入れられて保持され、前記ファスナーストリップの各々が、前記第１及び第２の壁のそれぞれに接続された基部を有し、前記ファスナーストリップの各々が、他方の前記ファスナーストリップの上縁に隣接する上縁を有し、前記チャック付き袋が、前記ファスナーストリップに装着されたスライダを有し、このスライダは、前記ファスナーストリップの長手方向の一方の向きに移動して、前記リブを前記溝から徐々に分離して前記チャック付き袋を開くことができ、逆向きに移動して、前記リブを前記溝内に保持された状態に徐々に戻して前記チャック付き袋を閉じることができるチャック付き袋において、
　前記壁の各々が、当該壁から外向きに出て当該壁の上縁に平行に延びるフランジを有し、このフランジは、前記形状部分の下方にあり、前記スライダ内に受け入れられるように構成及び配置されていることを特徴とするチャック付き袋。」
第３　引用刊行物
　本願優先日前に頒布された刊行物であって、上記平成２８年５月２０日付け拒絶理由通知に引用された引用文献１（特表２００３−５０１１８４号公報。以下、「刊行物１」という。）及び引用文献３（特表２００５−５０６１３８号公報。以下「刊行物２」という。）には、図面とともに以下の事項が記載されている。
１．　刊行物１
（１）　刊行物１の記載事項
ア．
「【００１１】
　本発明の実施の態様
　図１〜４は、シール可能なクロージャー装置１２１を有する、プラスチック製のバッグ１２０の形状の容器を図示する。バッグ１２０は、クロージャー装置１２１によりシールすることがで切る区画を形成する継ぎ目１２５、１２６のところで接合される側壁１２２、１２３を含む。クロージャー装置１２１は、第一及び第二の締め付けストリップ１３０、１３１及びスライダー１３２を含む。」
イ．
「【００１６】
　スライダー１３２は、第一及び第二の端部１２７、１７８の間を動くために、締め付けストリップ１３０、１３１の上を滑動可能に配置される。使用に際して、スライダー１３２は、締め付けストリップ１３０、１３１の縦Ｘ軸に沿って、適当な方向に動かされたときに、噛み合う締め付けストリップ１３０、１３１の開閉に利用される。特に、スライダー１３２は、その第一の端部１２７に向かって動かされたとき、噛み合う締め付けストリップ１３０、１３１を閉鎖するのに利用され、その第二の端部１２８に向かって動かされたとき、噛み合う締め付けストリップ１３０、１３１を開放するのに利用される。図１及び２の符号１１４で示されているように、スライダー１３２が閉鎖する方向に動かされるとき、締め付けストリップ１３０、１３１が閉鎖する。反対に、符号１１６で示されているように、スライダー１３２が開放する方向に動かされるとき、締め付けストリップ１３０、１３１の分離が起こる。
【００１７】
　噛み合う締め付けストリップは、どのような型又は形状でもよく、例えば、（１）図５及び６に最もよく示されているようなＵ字溝締め付けストリップ、（２）米国特許第５，００７，１４２号及び第５，０２０，１９４号に開示されているような“矢じり型”、（３）米国特許第５，６６４，２９９号に開示されているような“プロファイル”、及び／又は米国特許第５，００７，１４３号に開示されているような回転動作締め付けストリップを含む。・・・
【００１８】
　本発明で使用することができるクロージャー装置の型の説明に役立つ例が、図５に示されている。締め付けストリップは、第一のクロージャー要素１３６をもつ第一の締め付けストリップ１３０及び第二のクロージャー要素１３４をもつ第一の締め付けストリップ１３１を含む。第一のクロージャー要素１３６は、第二のクロージャー要素１３４と係合する。第一の締め付けストリップ１３０は、第一の締め付けストリップ１３０の上方端部に配置される上方フランジ１６３及び第一の締め付けストリップ１３０の下方端部に配置される下方フランジ１６７を含む。同様に、第二の締め付けストリップ１３１は、第二の締め付けストリップ１３１の上方端部に配置される上方フランジ１５３及び第二の締め付けストリップ１３１の下方端部に配置される下方フランジ１５７を含む。上方フランジ１６３、１５３は、直線部分１６６、１５６及びアングル部分１６８、１５８を含む。アングル部分１６８、１５８は、直線部分１６６、１５６に対して、ほぼ１２０度の角度にある。・・・図６に示すように、バッグ１２０の側壁１２２、１２３はまた、それぞれの締め付けストリップ１３０、１３１を、外側の表面に取り付けることもできる。
【００１９】
　図５、６に示されているように、第二のクロージャー要素１３４は、ベース部分１３８から伸長する、一組の離れて平行に配置されたウェブ１４０、１４１を有するベース部分１３８を含む。ウェブ１４０、１４１は、それぞれウェブ１４０、１４１から伸長し、互いに向き合うフッククロージャー部分１４２、１４４を含む。フッククロージャー部分１４２、１４４は、第一のクロージャー要素１３６のフッククロージャー部分１５２、１５４により閉鎖するようにフッククロージャー部分１４２、１４４を誘導するために与えられるガイド表面１４６、１４７を含む。
【００２０】
　第一のクロージャー要素１３６は、ベース部分１４８から伸長する、一組の離れて平行に配置されたウェブ１５０、１５１を含むベース部分１４８を含む。ウェブ１５０、１５１は、ウェブ１４０、１４１は、それぞれウェブ１４０、１４１から伸長し、互いに向き合うフッククロージャー部分１５２、１５４を含む。フッククロージャー部分１５２、１５４は、一般的に、第二のクロージャー要素１３４のフッククロージャー部分１４２、１４４により閉鎖するようにフッククロージャー部分１５２、１５４を誘導するために与えられるガイド表面１４５、１５５を含む。ガイド表面１４５、１５５はまた、丸クラウン表面を有することができる。さらに、フッククロージャー部分１４４、１５４は、クロージャー装置１２１が開くときに、容器の内部に隣接したフッククロージャー部分１４４、１５４が、より大きな抵抗を与えるように設計することができる。
【００２１】
　図１〜６に示されているように、クロージャー要素１３４、１３６のベース部分１３８、１４８もまた、縦Ｘ軸１０２に沿って直線状に伸長するガイドレール１３９、１４３を有する。図５に示すように、レール１３９、１４３は、締め付けストリップと一体的に成形することができる。図６に示すように、レール１３９、１４３はまた、在来の製造技術により、バッグの側壁１２２、１２３の表面の外部リッジとして成形することもできる。一実施例において、ガイドレール１３９、１４３は、底部エッジ１１５のすぐ近くに配置され、第二のシール１２９を通過するが、頂部及び底部エッジ１１５、１１７の間のどの位置に配置してもよい。・・・」
ウ．
「【００４５】
　締め付けストリップは、押出し又はその他の既知の方法により製造することができる。例えば、クロージャー装置は、後にバッグに取り付ける別個の締め付けストリップとして、又はバッグと一体的に製造することができる。さらに、締め付けストリップは、意図されるクロージャー装置の使用又は予想されるさらなる製造工程の使用により、一つ又は両方の締め付けストリップのフランジ部分をつけて、又はつけずに製造することができる。」
エ．　図１
オ．　図６
カ．　図１３
キ．
　締め付けストリップ１３０及び１３１が、細長い形状であって、曲線状に曲がっていることが、図１から看取できるから、締め付けストリップ１３０及び１３１が細長いフレキシブルなものであるといえる。
ク．　
　上記摘記事項ウ．の「クロージャー装置は、後にバッグに取り付ける別個の締め付けストリップとして、又はバッグと一体的に製造することができる。」との記載から、締め付けストリップ１３０、１３１を、バッグ１２０の側壁１２２、１２３とは別個に形成することが、引用文献１には記載されているといえる。
ケ．
　上記摘記事項イ．には、「【００１６】スライダー１３２は、第一及び第二の端部１２７、１７８の間を動くために、締め付けストリップ１３０、１３１の上を滑動可能に配置される。使用に際して、スライダー１３２は、締め付けストリップ１３０、１３１の縦Ｘ軸に沿って、適当な方向に動かされたときに、噛み合う締め付けストリップ１３０、１３１の開閉に利用される。特に、スライダー１３２は、その第一の端部１２７に向かって動かされたとき、噛み合う締め付けストリップ１３０、１３１を閉鎖するのに利用され、その第二の端部１２８に向かって動かされたとき、噛み合う締め付けストリップ１３０、１３１を開放するのに利用される。」との記載があり、「【００１８】・・・締め付けストリップは、第一のクロージャー要素１３６をもつ第一の締め付けストリップ１３０及び第二のクロージャー要素１３４をもつ第一の締め付けストリップ１３１を含む。第一のクロージャー要素１３６は、第二のクロージャー要素１３４と係合する。」との記載がある。また、上記摘記事項ア．の「図１〜４は、シール可能なクロージャー装置１２１を有する、プラスチック製のバッグ１２０の形状の容器を図示する。・・・クロージャー装置１２１は、第一及び第二の締め付けストリップ１３０、１３１及びスライダー１３２を含む。」との記載と、図１において、スライダー１３２の位置よりも図上左側で、締め付けストリップ１３０、１３１が、間隔を空けてバッグ１２０の開口を形成している一方、図上右側では、締め付けストリップ１３０、１３１の間隔がほとんどなく、バッグ１２０の上端が閉じていることが図示されている。よって、スライダー１３２が締め付けストリップ１３０、１３１に沿って移動することで、スライダー１３２を挟んだ締め付けストリップ１３０、１３１の一方の側では締め付けストリップ１３０、１３１が間隔を隔てて、バッグ１２０の上端が開口するのに対し、他方では、ストリップ１３０、１３１の間隔が閉じることで、バッグ１２０の上端が閉鎖することが理解できる。
　そうすると、刊行物１には、スライダー１３２が、締め付けストリップ１３０、１３１の長手方向の一方の向きに移動して、締め付けストリップ１３０、１３１が係合状態から徐々に分離してプラスチックのバッグのクロージャー装置を開き、逆向きに移動して、締め付けストリップ１３０、１３１が係合して保持された状態に徐々に戻してプラスチックのバッグのクロージャー装置を閉じることができる、プラスチックのバッグ１２０のクロージャー装置が記載されていることは明らかである。
コ．
　図１には、ガイドレール１３９が、バッグ１２０の側壁１２２の上縁に平行に伸びていることの図示があり、図６には、ガイドレール１３９、１４３が、側壁１２２、１２３から外向きに出て側壁１２２、１２３の上縁から同じ距離だけ下方の位置に形成されていることの図示がある。そして、スライダー１３２の断面図である図１３には、スライダ−１３２の内側にガイドレール１３９、１４３が位置していることの図示があるから、ガイドレール１３９、１４３は、それぞれ側壁１２２、１２３から外向きに出て側壁１２２、１２３の上縁に平行に延びるものであって、スライダー１３２内に受け入れられるものであるといえる。
（２）　引用発明
　上記摘記事項ア．ないしウ．、図１、６及び１３の図示、並びに、認定事項キ．ないしコ．から、技術常識を踏まえつつ、整理すると、刊行物１には、以下の発明（以下、「引用発明」という。）が記載されている。
「側壁１２２、１２３、及び開口部を有するクロージャ装置を有するバッグ１２０であって、前記開口部が、細長いフレキシブルな締め付けストリップ１３０、１３１によって規定され、前記締め付けストリップ１３０、１３１が、それぞれ、前記側壁１２２、１２３とは別個に形成されて、前記側壁１２２、１２３の上部に取り付けられ、前記締め付けストリップ１３０、１３１は、相互に係合するように形成されており、前記締め付けストリップ１３０、１３１の各々が、前記側壁１２２、１２３のそれぞれに接続されたベース部分１３８、１４８を有し、前記締め付けストリップ１３０、１３１の各々が、他方の前記締め付けストリップ１３０、１３１の上縁に隣接する上縁を有し、前記プラスチックのバッグ１２０のクロージャー装置が、前記締め付けストリップ１３０、１３１に装着されたスライダー１３２を有し、このスライダー１３２は、前記締め付けストリップ１３０、１３１の長手方向の一方の向きに移動して、締め付けストリップ１３０、１３１が徐々に分離して前記プラスチックのバッグのクロージャー装置を開くことができ、逆向きに移動して、前記締め付けストリップ１３０、１３１が係合して保持された状態に徐々に戻して前記クロージャ装置を有するバッグ１２０を閉じることができるクロージャ装置を有するバッグ１２０において、
　前記側壁１２２、１２３の各々が、当該側壁１２２、１２３から外向きに出て当該側壁１２２、１２３の上縁に平行に延びるガイドレール１３９、１４３を有し、このガイドレール１３９、１４３は、前記スライダー１３２内に受け入れられるように構成及び配置されているクロージャ装置を有するバッグ１２０」
２．　刊行物２
（１）　刊行物２の記載事項
ア．
「【００１２】
図１ａは製品を梱包するための可撓性で且つ再開閉可能な容器２０を示しており、容器２０はし品物と共に成型され、満たされそしてシールされるために有用で、また空の容器として販売されるときにも有用である。容器２０はそれぞれ第一、第二の側壁２２と２４からなっており、これらは例えば、低密度ポリエチレン、鎖状低密度ポリエチレンまたは同様の材料のような熱可塑性プラスティックフィルムで作られている。側壁２２と２４は第一の左側横断シール２８と第２の右側壁横断シール３０を含んでいる。容器２０はまた底辺端２６を含みこれは通常、一対のインターロック締結ストリップ３２と３４と反対方向にある。底部端２６は、側壁２２と２４の間に折れ目を含み、容器は鉛直様式の充填とシール装置となる、または底部端２６は容器２０が水平様式の重点とシール装置となるように、側壁２２と２４の間にシールを持っても良い。」
イ．（当審注：図３６の図示を対比すると、刊行物２の段落【００５７】に記載された締結ストリップ５３４の鉛直壁の符番と、雌プロファイルの符番が相違するが、以下の摘記にあたっては、図３６に図示されている符番、すなわち、締結ストリップ５３４の鉛直壁の符番を「５８０ａ」及び雌プロファイルの符番を「５８２ａ」とする。）
「【００５６】
図３５−４２は、本発明のさらなる実施例が示されている。特に図３６を参照すると、締結ストライプ５３２と５３４の上を滑走できるスライダ５４８の図１ｂと同様の断面積が示されている。図１ａに関する説明と表示は図３５−４２の実施例の構造および操作に関する説明は適切である。
【００５７】
図３６を参照すると、スライダ５４８は締結ストリップ５３２と５３４の上で滑走可能である。締結ストリップ５３２と５３４はそれぞれ一対の鉛直壁５８０ｂと５８０ａを含んでいる。雄プロファイル５８２ｂは壁５８０ｂから外側に突き出ている。雌プロファイル要素５８２ａは壁５８０ａから外側に突き出ている。スライダ５４８は締結ストリップ５３４と５３２の非インターロック部分を含むことが示されている。締結ストリップに沿ったスライダ５４８の動きはプロファイル５８２ａと５８２ｂのインタロッキング状態となるかプロファイル５８２ａと５８２ｂの非ロック状態となるかである。雌プロファイル５８２ａは上側要素５８１ａとまた下側要素５８１ｂを含む。スライダ５４８が開放方向へ締結ストリップに沿って動くとき、スライダ５４８は中央部分５５１ｂから分離要素５８２ａと５８２ｂへ十分な鉛直深さを持っている。スライダー５４８の足５６０ｂと５６０ａはそれぞれ、肩部５４５と５４７によってインターロッキングストリップの上に保持される。」
ウ．　図１ａ
エ．　図３６
オ．
　「可撓性で且つ再開閉可能な容器２０」についての図１ａの図示から、容器２０は、再開閉可能な手段付き袋であることは明らかである。
カ．
　図３６について、上記摘記事項イ．には、「【００５７】・・・雄プロファイル５８２ｂは壁５８０ｂから外側に突き出ている。雌プロファイル要素５８２ａは壁５８０ａから外側に突き出ている。」との記載があり、「雌プロファイル５８２ａは上側要素５８１ａとまた下側要素５８１ｂを含む。」との記載がある。そして、図３６から、雄プロファイル５８２ｂは、先端が太い断面形状を有するリブ状である一方、雌プロファイル５８２ａは、上側要素５８１ａと下側要素５８１ｂが先端が開口するよう距離をおいた断面形状を有する溝状であることが看取できる。さらに、それぞれのプロファイルは、「雄」と「雌」であり、「インタロッキング状態」と「非ロック状態」を取りうるのであるから、インタロッキング状態では、雄プロファイル５８２ｂの一部分である先端の太い部分が雌プロファイルの上側要素５８１ａとまた下側要素５８１ｂによって形成される上記溝内に受け入れられた状態となり、スライダ５４８の動きによって、雄プロファイル５８２ｂの一部分である先端の太い部分が上記溝から徐々に分離して、「非ロック状態」となるものであることは、明らかである。
　よって、刊行物２には、一方に溝を形成する部分を有し、他方にリブを形成する部分を有し、前記リブの一部である先端の太い部分は、再開閉可能な手段付き袋の上部を閉じた際に前記溝内に受け入れて保持されるものであって、スライダ５４８の移動により前記リブを前記溝から徐々に分離して前記再開閉可能な手段付き袋を開くことができ、スライダ５４８の逆向きの移動により、前記リブを前記溝内に保持された状態に徐々に戻して前記再開可能な手段付き袋を閉じるものが記載されている。
キ．
　図３６から、肩部５４５と５４７が、それぞれ締結ストリップ５３２と５３４の鉛直壁５８０ｂ、５８０ａに外向きに出て形成されていていることが看取できる。そして、それら肩部が形成されている鉛直壁５８０ｂ、５８０ａにおける上下方向の位置は、上記リブ状の雄プロファイル５８２ｂ及び溝状の雌プロファイル５８２ａが形成されている位置よりも下方であることが看取できる。
第４　対比
　本願発明と引用発明とを対比する。
　引用発明の側壁１２２、側壁１２３、及び、クロージャー装置を有するバッグ１２０は、それぞれ本願発明の第１の壁、第２の壁、及び、チャック付き袋に相当する。
　引用発明の締め付けストリップ１３０及び締め付けストリップ１３１は、それぞれ本願発明の第１のファスナーストリップ及び第２のファスナーストリップに相当する。
　引用発明のベース部分１３８及びベース部分１４８は、それぞれ、本願発明の基部に相当する。
　引用発明のスライダー１３２は、本願発明のスライダに相当する。
　引用発明のガイドレール１３９及びガイドレール１４３は、それぞれ本願発明のフランジに相当する。なお、本願発明のフランジの設置箇所について、請求人は平成２８年８月２３日付け意見書において、「（ｉｉ）上記フランジが、ファスナーストリップの溝及びリブのそれぞれを形成する形状部分の下方にあり、袋の壁から外向きに出る」（（３−１）本願発明の要旨）と主張し、フランジの機能やフランジが有する技術的意義について、平成２６年３月３日付け意見書において、「本願発明は、図８、９に示すような、より単純で一般的な形状を有するスライダを採用しつつ、下方のフランジによりスライダの離脱を防止することができる。」（（３−３）本願発明と引用文献に記載された発明の対比）と主張している。しかし、引用発明のガイドレール１３９及び１４３も、バッグ１２０の側壁１２２、１２３から外向きに出るものである。また、上記第３の１．（１）のカ．図１３に、刊行物１記載のスライダー１３２の下端から内側の上方に向けて延びる部材の上端部が、ガイドレール１３９及びガイドレール１４４の下側に当接していることの図示があり、段落【００２９】の「ガイドトラック２２１、２２２は、図９及び１０において、前及び後ろからみたときに、一組の溝として表われる。ガイドトラック２２１、２２２は、スライダー１３２が締め付けストリップ１３０、１３１に取り付けられるとき、Ｚ軸において、締め付けストリップ１３０、１３１にスライダー１３２を保持するように、ガイドレール１３９、１４３と滑動可能に係合される。」との記載を勘案すると、刊行物１に記載されたガイドレール１３９及びガイドレール１４３も、離脱防止の作用を奏することは、当業者にとって明らかである。よって、上記のとおり、引用発明のガイドレール１３９及びガイドレール１４３は、それぞれ本願発明のフランジに相当する。
　そうすると、本願発明と引用発明とは以下の点で一致し、かつ、相違する。
＜一致点＞
「第１及び第２の壁、及び開口部を有するチャック付き袋であって、前記開口部が細長いフレキシブルな第１及び第２のファスナーストリップによって規定され、前記第１及び第２のファスナーストリップが、それぞれ、前記第１及び第２の壁とは別個に形成されて、前記第１及び第２の壁の上部に取り付けられ、前記ファスナーストリップは、相互に係合するように形成されており、前記ファスナーストリップの各々が、前記第１及び第２の壁のそれぞれに接続された基部を有し、前記ファスナーストリップの各々が、他方の前記ファスナーストリップの上縁に隣接する上縁を有し、前記チャック付き袋が、前記ファスナーストリップに装着されたスライダを有し、このスライダは、前記ファスナーストリップの長手方向の一方の向きに移動して、前記チャック付き袋を開くことができ、逆向きに移動して、前記ファスナーストリップが係合して保持された状態に徐々に戻して前記チャック付き袋を閉じることができるチャック付き袋において、
　前記壁の各々が、当該壁から外向きに出て当該壁の上縁に平行に延びるフランジを有し、このフランジは、前記スライダ内に受け入れられるように構成及び配置されていることを特徴とするチャック付き袋。」
＜相違点１＞
　本願発明のファスナーストリップは、一方に溝を形成する形状部分を有し、他方にリブを形成する形状部分を有し、前記リブの一部分は、チャック付き袋の上部を閉じた際に前記溝内に受け入れて保持されるものであって、スライダの移動により前記リブを前記溝から徐々に分離して前記チャック付き袋を開くことができ、スライダの逆向きの移動により、前記リブを前記溝内に保持された状態に徐々に戻して前記チャック付き袋を閉じることができるものであるのに対し、引用発明の締め付けストリップ１３０、１３１の係合は、溝とリブによるものではない点。
＜相違点２＞
　本願発明のフランジは、溝を形成する形状部分及びリブを形成する形状部分よりも下方にあるのに対し、引用発明のガイドレール１３９、１４３を設ける位置がそのようなものであるか不明である点。
第５　判断
　相違点１及び２についてまとめて検討する。
　上記第３の１．（１）摘記事項イ．の「【００１７】噛み合う締め付けストリップは、どのような型又は形状でもよく、例えば、（１）図５及び６に最もよく示されているようなＵ字溝締め付けストリップ、（２）米国特許第５，００７，１４２号及び第５，０２０，１９４号に開示されているような“矢じり型”、（３）米国特許第５，６６４，２９９号に開示されているような“プロファイル”、及び／又は米国特許第５，００７，１４３号に開示されているような回転動作締め付けストリップを含む。」との記載から、引用発明の締め付けストリップの型又は形状は、プラスチックのバッグのクロージャー装置に用いられるものであれば、採用できることが当業者には明らかである。
　そうすると、引用発明の締め付けストリップ１３０、１３１の噛み合う締め付けストリップの型として、上記相違点１に係る構成を採用することは、上記第３の２．（１）の認定事項カ．に示した刊行物２記載の「一方に溝を形成する部分を有し、他方にリブを形成する部分を有し、前記リブの一部である先端の太い部分は、再開閉可能な手段付き袋の上部を閉じた際に前記溝内に受け入れて保持されるものであって、スライダ５４８の移動により前記リブを前記溝から徐々に分離して前記再開閉可能な手段付き袋を開くことができ、スライダ５４８の逆向きの移動により、前記リブを前記溝内に保持された状態に徐々に戻して前記再開可能な手段付き袋を閉じる」ものを適用したに過ぎず、当業者が容易になし得た事項である。
　そして、刊行物２に記載されたインターロック締結ストリップ５３２と５３４の型を適用しようとすれば、刊行物２に記載された肩部５４５と５４７が形成された鉛直壁５８０ｂ、５８０ａ上の位置が、上記第３の２．（１）の認定事項キ．に示したように、リブ状の雄プロファイル５８２ｂ及び溝状の雌プロファイル５８２ａが形成されている部分よりも下方であるから、引用発明のガイドレール１３９、１４３を形成する位置は、上記相違点２に係る構成となることは、刊行物２記載の型を採用することで自ずから採りうる構成であるに過ぎない。
　さらに、本願発明が奏する作用効果は、当業者が予測し得る範囲内のものである。
　よって、本願発明は、引用発明及び刊行物２に記載された事項に基づいて、当業者が容易に発明をすることができたものである。
第６　まとめ
　以上のとおり、本願発明は、引用発明及び刊行物２に記載された事項に基づいて、当業者が容易に発明をすることができたものであるから、特許法第２９条第２項に該当し、その余の請求項に係る発明について検討するまでもなく、特許を受けることができない。
　よって、結論のとおり審決する。